(57)【要約】【課題】  正確な穿孔作業を迅速容易に行うことができる電動ドリルの穿孔補助具を提供する。【解決手段】  当接部材２０を被穿孔面に当接させた状態で取付部材１０に取り付けられた電動ドリル５０をガイド部材３０に沿って移動させることにより、貫通孔２２を介して被穿孔面を穿孔することができる電動ドリルの穿孔補助具１であって、当接部材２０は、被穿孔面との当接面がガイド部材３０に垂直な平面上で互いに直交する第１の帯状部２４および第２の帯状部２６を備えており、第１の帯状部２４と第２の帯状部２６との交差部に貫通孔２２が形成されている。【選択図】  図１
2013252581.tif 000002
【特許請求の範囲】
【請求項１】
電動ドリルが取り付けられる取付部材と、電動ドリルのビットが通過する貫通孔を有する当接部材と、前記当接部材に一端側が固定された直線状のガイド部材とを備え、
前記取付部材は、前記ガイド部材が相対移動可能に挿通される挿通部を備えており、
前記当接部材を被穿孔面に当接させた状態で、前記取付部材に取り付けられた電動ドリルを前記ガイド部材に沿って移動させることにより、前記貫通孔を介して被穿孔面を穿孔することができる電動ドリルの穿孔補助具であって、
前記当接部材は、被穿孔面との当接面が前記ガイド部材に垂直な平面上で互いに直交する第１の帯状部および第２の帯状部を備えており、前記第１の帯状部と第２の帯状部との交差部に前記貫通孔が形成されている電動ドリルの穿孔補助具。
【請求項２】
前記第１の帯状部および第２の帯状部は、当接した被穿孔面の一部を目視できるように目視孔が形成されている請求項１に記載の電動ドリルの穿孔補助具。
【請求項３】
前記目視孔は、長手方向両側の縁部にそれぞれ先鋭部が形成され、
前記第１の帯状部が備える前記目視孔の前記先鋭部同士を結ぶ仮想直線と、前記第２の帯状部が備える前記目視孔の前記先鋭部同士を結ぶ仮想直線とが、互いに直交するように構成されており、
前記取付部材は、前記各仮想直線の直交位置を穿孔するように電動ドリルを支持する請求項２に記載の電動ドリルの穿孔補助具。
【請求項４】
前記第１の帯状部および第２の帯状部は、それぞれ前記目視孔が複数形成され、複数の前記目視孔間を結ぶように位置合わせラインが設けられており、
前記取付部材は、前記各位置合わせラインの延長線が直交する位置を穿孔するように電動ドリルを支持する請求項２に記載の電動ドリルの穿孔補助具。
【発明の詳細な説明】
【技術分野】
【０００１】
本発明は、電動ドリルに取り付けられて穿孔作業を補助する電動ドリルの穿孔補助具に関する。
【背景技術】
【０００２】
トンネル壁面へのアンカー孔の形成など、電動ドリルによる被穿孔面への穿孔に際して、穿孔作業を容易にするための補助具を用いることが従来行われている。例えば、特許文献１には、電動ドリルの穿孔をガイドするガイドアタッチメントが開示されている。このガイドアタッチメントは、ドリル本体に設けられたガイドホルダーと、一端側がガイドホルダーに固定され前方に延在するスライドガイドと、スライドガイドの先端に取り付けられたノーズブロックとを備えており、ノーズブロックを穿孔対象物に突き当てた状態で電動ドリルのドリルビットを徐々に前進させると、スライドガイドは、収縮してばね力によりノーズブロックの突き当て状態を維持しながら穿孔方向を案内するように構成されている。
【先行技術文献】
【特許文献】
【０００３】
【特許文献１】特開２０１２−３０３０３号公報
【発明の概要】
【発明が解決しようとする課題】
【０００４】
上記従来のガイドアタッチメントは、ノーズブロックの当接面に弾性材からなる矩形状の当接シートが貼着されており、この当接シートを穿孔対象物の表面に面接触させて穿孔作業を行う。ところが、このような構成によれば、穿孔対象物と当接シートとの接触面積が小さいと、穿孔作業中にノーズブロックの位置ずれが生じ易くなり、正しく垂直穿孔することが困難である一方、穿孔対象物と当接シートとの接触面積を大きくすると、穿孔位置の位置合わせが困難であり、作業性が悪いという問題があった。
【０００５】
そこで、本発明は、正確な穿孔作業を迅速容易に行うことができる電動ドリルの穿孔補助具の提供を目的とする。
【課題を解決するための手段】
【０００６】
本発明の前記目的は、電動ドリルが取り付けられる取付部材と、電動ドリルのビットが通過する貫通孔を有する当接部材と、前記当接部材に一端側が固定された直線状のガイド部材とを備え、前記取付部材は、前記ガイド部材が相対移動可能に挿通される挿通部を備えており、前記当接部材を被穿孔面に当接させた状態で、前記取付部材に取り付けられた電動ドリルを前記ガイド部材に沿って移動させることにより、前記貫通孔を介して被穿孔面を穿孔することができる電動ドリルの穿孔補助具であって、前記当接部材は、被穿孔面との当接面が前記ガイド部材に垂直な平面上で互いに直交する第１の帯状部および第２の帯状部を備えており、前記第１の帯状部と第２の帯状部との交差部に前記貫通孔が形成されている電動ドリルの穿孔補助具により達成される。
【０００７】
この電動ドリルの穿孔補助具において、前記第１の帯状部および第２の帯状部は、当接した被穿孔面の一部を目視できるように目視孔が形成されていることが好ましい。この構成において、前記目視孔は、長手方向両側の縁部にそれぞれ先鋭部が形成され、前記第１の帯状部が備える前記目視孔の前記先鋭部同士を結ぶ仮想直線と、前記第２の帯状部が備える前記目視孔の前記先鋭部同士を結ぶ仮想直線とが、互いに直交するように構成されることが好ましく、前記取付部材は、前記各仮想直線の直交位置を穿孔するように電動ドリルを支持することが好ましい。或いは、前記第１の帯状部および第２の帯状部は、それぞれ前記目視孔が複数形成され、複数の前記目視孔間を結ぶように位置合わせラインが設けられていることが好ましく、前記取付部材は、前記各位置合わせラインの延長線が直交する位置を穿孔するように電動ドリルを支持することが好ましい。
【発明の効果】
【０００８】
本発明によれば、正確な穿孔作業を迅速容易に行うことができる電動ドリルの穿孔補助具を提供することができる。
【図面の簡単な説明】
【０００９】
【図１】本発明の一実施形態に係る穿孔補助具に電動ドリルが取り付けられた状態を示す側面図である。
【図２】図１の平面図である。
【図３】前記穿孔補助具が備える当接部材の正面図である。
【図４】図３の背面図である。
【図５】前記穿孔補助具を電動ドリルと分離した状態を示す側面図である。
【図６】前記穿孔補助具が取り付けられた電動ドリルの使用方法を説明するための側面図である。
【図７】前記当接部材の変形例を示す正面図である。
【発明を実施するための形態】
【００１０】
以下、本発明の実施の形態について、添付図面を参照して説明する。図１および図２は、それぞれ本発明の一実施形態に係る穿孔補助具の側面図および平面図であり、電動ドリルが取り付けられた状態を示している。図１および図２に示すように、穿孔補助具１は、電動ドリル５０が取り付けられる取付部材１０と、被穿孔面に当接する当接部材２０と、当接部材２０に固定された２つのガイド部材３０,３０とを備えている。
【００１１】
取付部材１０は、本体１１の前後左右の４か所に設けられた挿通部１２と、本体１１の後方側に設けられたリング状の締結バンド１４と、本体１１の前方側に設けられた把持部１６とを備えている。締結バンド１４は、締結ボルト１４ａの締め付けにより縮径可能に構成されており、電動ドリル５０の首部に装着されて、本体１１が電動ドリル５０の前側を覆うように固定される。本体１１の前方側は、締結バンド１４の下部から前方に延びる補強板１８に支持されている。
【００１２】
当接部材２０は、２つのガイド部材３０,３０の前端側をそれぞれ支持する支持ナット２７，２７（図１では一方のみが示されている）を備えている。図３および図４は、それぞれ当接部材２０の正面図および背面図である。当接部材２０は、長板をコ字状に折り曲げた形状を有する第１の帯状部２４および第２の帯状部２６を備えており、正面視十字状に形成されている。互いに直交する第１の帯状部２４および第２の帯状部２６の交差部２８には、電気ドリルのビット５２が通過可能な大きさの貫通孔２２が形成されている。
【００１３】
第１の帯状部２４および第２の帯状部２６は、図３に示すように、前面側に被穿孔面と当接する平坦な当接面２４ａ，２６ａを有しており、それぞれ長手方向に沿って複数の目視孔２４ｂ，２６ｂが形成されている。第１の帯状部２４および第２の帯状部２６の後面側には、図４に示すように、貫通孔２２を挟んで隣接する目視孔２４ｂ，２４ｂ；２６ｂ，２６ｂの間を結ぶように位置合わせライン２４ｃ，２６ｃが設けられている。位置合わせライン２４ｃ，２６ｃは、図４に破線で示すように、それぞれの延長線がビット５２の中心において互いに直交するように形成されている。第２の帯状部２６の後面側には、目視孔２６ｂを回避した位置に、上述した支持ナット２７，２７が設けられている。
【００１４】
各ガイド部材３０は、図１および図２に示すように、拡径された頭部３２を後端に有する長尺のボルトからなり、取付部材１０の前後の挿通部１２，１２に相対移動可能に挿通されている。各ガイド部材３０は、先端が当接部材２０の支持ナット２７に螺合されて、当接部材２０から起立するように固定されている。当接部材２０の当接面２４ａ，２６ａ（図３参照）は、各ガイド部材３０に垂直な当接部材２０の最前面に沿うように配置され、この平面上で互いに直交する。各ガイド部材３０には、穿孔深さを制御するためのストッパ３４が設けられている。ストッパ３４は、例えばダブルナットから構成することができ、ガイド部材３０の長手方向に沿って移動させて所望の位置で固定することができる。
【００１５】
本実施形態においては、２つのガイド部材３０,３０の双方にストッパ３４，３４を設けているが、いずれか一方のガイド部材３０のみにストッパ３４を設けるようにしてもよい。また、ガイド部材３０は、本実施形態では２つ備えているが、取付部材１０の移動を確実に案内できるものであれば単一であってもよく、あるいは、３つ以上設けてもよい。取付部材１０の挿通部１２についても、ガイド部材３０に沿って取付部材１０の移動を確実に案内可能であれば、その数や配置は特に限定されるものではない。
【００１６】
上記の構成を有する穿孔補助具１は、図５に示すように電動ドリル５０にビット５２を取り付けた後、締結バンド１４を緩めた状態で、電動ドリル５０をビット５２の先端から締結バンド１４に挿入し、締結ボルト１４ａを締め付けることにより、電動ドリル５０と一体化することができる。
【００１７】
次に、上記の構成を備える穿孔補助具１を用いて被穿孔面を穿孔する方法を説明する。まず、図６（ａ）に示すように、電動ドリル５０および把持部１６を左右の手でそれぞれ把持し、トンネル内壁等の被穿孔面Ｓに対して当接部材２０の当接面を密着させる。ついで、被穿孔面Ｓの所望の穿孔位置を穿孔できるように、電動ドリル５０のビット先端の位置合わせを行う。そして、電動ドリル５０のビット先端を被穿孔面Ｓに当接させた状態で、取付部材１０の挿通部１２の最先端からストッパ３４までの距離Ｌを確認し、所望の穿孔深さに一致していない場合には、ストッパ３４の位置を適宜調整する。次に、電動ドリル５０のスイッチ５４を押して穿孔作業を開始し、被穿孔面Ｓと当接部材２０との当接状態を維持しながら電動ドリル５０を矢示Ａ方向に押し込んでいくことにより、図６（ｂ）に示すように、挿通部１２がストッパ３４に係止され、所望の深さｄの穿孔Ｈが形成される。この後、電動ドリル５０を後方に引き抜くことにより、穿孔作業が終了する。
【００１８】
本実施形態の電動ドリルの穿孔補助具５０によれば、当接部材２０が備える第１の帯状部２４および第２の帯状部２６の当接面２４ａ，２６ａが、ガイド部材３０に垂直な平面上で互いに直交するように形成されており、第１の帯状部２４と第２の帯状部２６との交差部２８に、電動ドリル５０のビット５２が通過する貫通孔２２が形成されているので、被穿孔面Ｓに対する当接部材２０の当接面積を大きくしても、被穿孔面Ｓに対する穿孔位置の位置合わせが容易であり、穿孔作業中の位置ずれを防止して被穿孔面Ｓに垂直な穿孔を迅速容易に形成することができる。
【００１９】
また、第１の帯状部２４および第２の帯状部２６には、それぞれ目視孔２４ｂ，２６ｂが形成されているので、当接した被穿孔面Ｓの一部を、これらの目視孔２４ｂ，２６ｂを介して目視することができる。したがって、被穿孔面Ｓに形成したマーキング等を、目視孔２４ｂ，２６ｂを介して確認しながら穿孔の位置決めを行うことができるので、穿孔作業をより迅速・正確に行うことができる。特に、本実施形態のように、第１の帯状部２４および第２の帯状部２６に目視孔２４ｂ，２６ｂをそれぞれ複数形成し、複数の目視孔２４ｂ，２４ｂ；２６ｂ，２６ｂの間を結ぶように位置合わせライン２４ｃ，２６ｃを形成した場合には、穿孔位置を特定するために被穿孔面Ｓに形成した十字線のマーキングを、目視孔２４ｂ，２４ｂ；２６ｂ，２６ｂを介して位置合わせライン２４ｃ，２６ｃに容易に一致させることができ、正確な穿孔作業を迅速に行うことができる。
【００２０】
当接部材２０の第１の帯状部２４および第２の帯状部２６に形成された目視孔２４ｂ，２６ｂの形状や配置は、特に限定されるものではなく、例えば図７に示すように、一部の目視孔２６１ｂが貫通孔２２と繋がるように形成してもよい。また、図７に示すように、第１の帯状部２４および第２の帯状部２６の長手方向に沿って形成された目視孔２４ｂ，２６ｂの長手方向両側の縁部に、それぞれ先鋭部２４１ｂ，２４１ｂ；２６１ｂ，２６１ｂを形成することができる。この構成においては、図７に破線で示すように、先鋭部２４１ｂ，２４１ｂ同士を結ぶ仮想直線と、先鋭部２６１ｂ，２６１ｂ同士を結ぶ仮想直線とが、互いに直交するように形成されることが好ましく、この直交位置をビット５２が穿孔するように、電動ドリル５０が取付部材１０に支持されることが好ましい。これにより、被穿孔面Ｓに形成した十字状のマーキングが各先鋭部２４１ｂ，２４１ｂ；２６１ｂ，２６１ｂに一致するように当接部材２０の位置合わせを行うことで、所望の位置を容易且つ精度良く穿孔することができる。
【００２１】
本発明の電動ドリルの穿孔補助具は、被穿孔面がトンネル内壁である場合だけでなく、一般建築や一般土木における種々の被穿孔面を穿孔対象とすることができる。
【符号の説明】
【００２２】
１  穿孔補助具
１０  取付部材
１２  挿通部
２０  当接部材
２２  貫通孔
２４  第１の帯状部
２４ａ  当接面
２４ｂ  目視孔
２４ｃ  位置合わせライン
２６  第２の帯状部
２６ａ  当接面
２６ｂ  目視孔
２６ｃ  位置合わせライン
３０  ガイド部材
５０  電動ドリル
５２  ビット
Ｓ  被穿孔面
【図１】
2013252581.tif 000003
【図２】
2013252581.tif 000004
【図３】
2013252581.tif 000005
【図４】
2013252581.tif 000006
【図５】
2013252581.tif 000007
【図６】
2013252581.tif 000008
【図７】
2013252581.tif 000009